(57)【要約】【課題】電子機器側コネクタに対してその装着方向の如何に拘わらず正しい向きでアクセサリー機器を簡単に装着する上で有利なアクセサリー機器を提供する。【解決手段】アクセサリー機器３０の一方の係止片５０２０を電子機器側コネクタ１０の第１凹部２００２に臨ませ、かつ、アクセサリー機器３０の他方の係止片５０２０を電子機器側コネクタ１０の第２凹部２００６に臨ませ、軸部材５０の先部を電子機器側コネクタ１０のガイド溝１８に挿入し、アクセサリー機器３０のガイド面５０２６を電子機器側コネクタ１０のガイド面１２０７に当接させ、軸部材５０を装着方向に移動させ各係止片５０２０が第１凸部２００４と第２凸部２００８の下面に位置させる。筒状部材５６の移動により第１凸部２００４、第２凸部２００８が各係止片５０２０と押さえ板５７の押さえ面５７０２により挟持固定される。【選択図】図１２
2007212928.tif 000002
【特許請求の範囲】
【請求項１】
電子機器のアクセサリー取り付け部に取り付けるための取り付け部を有するアクセサリー機器であって、
前記アクセサリー機器の前記取り付け部は、前記アクセサリー機器の筐体から突出する軸部材と、前記軸部材に回転可能に配設された操作環とを備え、
前記軸部材の軸方向に対して直交する２方向のうちの一方の方向が前記軸部材の幅方向であり、前記２方向のうちの他方の方向が前記軸部材の前後方向であり、
前記軸部材の幅方向における前記軸部材の両側面の先部に、前記前後方向に間隔をおいて係止片がそれぞれ突設されると共に、それら係止片の間に残存した前記軸部材の側面部分により凹部が設けられ、
前記軸部材の軸方向の先端に、該軸部材の軸方向の位置決めを行なうためのガイド面が設けられ、
前記両側面の各係止片の上方の箇所に、それら係止片よりも前記側面から小さい寸法で突出し前記側面に対して離間接近する方向に弾性変形可能なばね片が設けられ、
前記操作環の回転操作により前記軸部材の幅方向における両側面において前記軸部材の軸方向に移動し各係止片に離間接近する押さえ板が設けられている、
ことを特徴とするアクセサリー機器。
【請求項２】
前記押さえ板は、前記係止片に離間接近する押さえ面と、前記押さえ板の前記係止片への接近時に前記凹部に臨む係合凸部とを備えていることを特徴とする請求項１記載のアクセサリー機器。
【請求項３】
前記ガイド面および前記押さえ面は、前記軸部材の軸方向と直交する方向に延在する平坦面でそれぞれ形成されていることを特徴とする請求項２記載のアクセサリー機器。
【請求項４】
前記軸部材の両側面の各係止片の上方の箇所でそれぞれ前後に延在するばね板が取着され、前記ばね板の前後部にそれぞれ前記側面から湾曲状に突出する突出部が設けられ、前記ばね片は前記突出部で構成されていることを特徴とする請求項１記載のアクセサリー機器。
【請求項５】
前記軸部材は、該軸部材の周方向および軸方向に弾性部材が介在された状態で前記アクセサリー機器の筐体に取り付けられていることを特徴とする請求項１記載のアクセサリー機器。
【請求項６】
前記操作環は前記係止片から前記軸部材の軸方向に沿って離れた前記軸部材の箇所に設けられ、前記軸部材に回転不能に被せられ前記操作環の回転操作により前記軸部材の軸方向に移動する筒状部材が前記操作環と前記係止片との間に設けられ、前記押さえ板は前記筒状部材の先部で前記軸部材の幅方向両側に位置する箇所で構成されていることを特徴とする請求項１記載のアクセサリー機器。
【請求項７】
電子機器の電子機器側コネクタとアクセサリー機器の取り付け部との取り付け構造であって、
前記電子機器側コネクタは、ガイド溝が形成された係止板と、係止板の下面に臨むように設けられた空間部と、前記空間部の底部を仕切るガイド面とを備え、
前記ガイド溝を構成する前記係止板の箇所で互いに対向する一対の縁部には、前記ガイド溝の延在方向に第１凸部と、第１凹部と、第２凸部と、第２凹部とがこれらの順番でそれぞれ対向して設けられ、
前記アクセサリー機器の前記取り付け部は、前記アクセサリー機器の筐体から突出する軸部材と、前記軸部材に回転可能に配設された操作環とを備え、
前記軸部材の軸方向に対して直交する２方向のうちの一方の方向が前記軸部材の幅方向であり、前記２方向のうちの他方の方向が前記軸部材の前後方向であり、
前記軸部材の幅方向における前記軸部材の両側面の先部に、前記軸部材の先部が前記ガイド溝を通り前記空間部に挿入される際に、前記第１凹部および前記第２凹部から前記空間部に挿入され前記空間部内で前記ガイド溝の延在方向に沿って移動可能な係止片が前記前後方向に間隔をおいて突設されると共に、それら係止片の間に残存した前記軸部材の側面部分により凹部が設けられ、
前記軸部材の軸方向の先端に、前記軸部材の先部が前記ガイド溝を通り前記空間部に挿入された際に、前記空間部の底部を仕切る前記ガイド面に当接し該軸部材の軸方向の位置決めを行なうガイド面が設けられ、
前記両側面の各係止片の上方の箇所に、それら係止片よりも前記側面から小さい寸法で突出し、前記軸部材の各係止片が前記第１凹部および前記第２凹部から前記空間部に挿入され前記空間部内で前記ガイド溝に沿って移動し前記各係止片が前記第１凸部と第２凸部の下面に位置する際に前記第１凸部と第２凸部が前記ガイド溝に臨む縁部に弾接するばね片が設けられ、
前記操作環の回転操作により前記軸部材の幅方向における両側面において前記軸部材の軸方向に移動し、前記第１凸部と第２凸部を各係止片と協働して挟持する押さえ板が設けられている、
ことを特徴とする電子機器とアクセサリー機器との取り付け構造。
【請求項８】
前記押さえ板は、各係止片と協働して前記第１凸部と第２凸部を挟持する際に、前記第１凸部と第２凸部の上面に当接する押さえ面と、前記第１凹部に挿入され前記ガイド溝に沿ったアクセサリー機器の取り付け部の抜落を阻止する係合凸部とを備えていることを特徴とする請求項７記載の電子機器とアクセサリー機器との取り付け構造。
【発明の詳細な説明】
【技術分野】
【０００１】
本発明はアクセサリー機器および電子機器とアクセサリー機器との取り付け構造に関する。
【背景技術】
【０００２】
デジタルカメラやビデオカメラなどの電子機器に使用されるアクセサリー機器として、例えば、撮影補助光を被写体に照射するためのビデオライトなどが挙げられる。
アクセサリー機器は、アクセサリー機器に設けられたアクセサリー機器側コネクタが、電子機器に設けられた電子機器側コネクタに取着されることで電子機器に装着される。
このような電子機器側コネクタは、アクセサリー機器側コネクタの接片（端子）と、電子機器側コネクタの接片（端子）とが互いに正しい位置で接続するように、アクセサリー機器側コネクタを電子機器側コネクタに装着する際、前方または後方の一方向からのみ装着できるように構成されている。
さらに、アクセサリー機器側コネクタを電子機器側コネクタに装着する際、アクセサリー機器側コネクタが一方向からのみ装着できるように構成されている電子機器では、機種によっては、アクセサリー機器側コネクタを前方から後方にのみ装着できるものと、アクセサリー機器側コネクタを後方から前方にのみ装着できるものとの２種類が提供されている。
【０００３】
一方、アクセサリー機器として、電子機器側コネクタを介して電子機器から電源の供給を受けたり、あるいは、電子機器側コネクタを介して電子機器との間で信号の授受を行なったりすることなく独立して動作するものがある。
このような接片を有さないアクセサリー機器では、電子機器側コネクタの接片（端子）に接続する必要がなく、電子機器およびアクセサリー機器の双方の接片を正しく接続するための電子機器側コネクタの装着方向に拘束される必要がないものである。
そのため、接片を有さないアクセサリー機器では、上述の装着方向が異なる２種類の何れの電子機器に対しても、正しい向きで簡単に装着されることが好ましい。
正しい向きで装着するアクセサリー機器の取り付け部として、アクセサリー機器の本体に対してアクセサリー機器側コネクタが回転できるように回転機構を備えたアクセサリー機器が提案されている（特許文献１参照）。
【特許文献１】特許第３５００８４５号
【発明の開示】
【発明が解決しようとする課題】
【０００４】
そのため、接片を有さないアクセサリー機器に上述の回転機構を設けることも考えられるが、回転機構は構造が複雑であることからコストを削減する上で不利がある。
本発明は、前記事情に鑑み案出されたものであって、本発明の目的は、電子機器側コネクタに対してその装着方向の如何に拘わらず正しい向きでアクセサリー機器を簡単に装着する上で有利なアクセサリー機器および電子機器とアクセサリー機器との取り付け構造を提供することにある。
【課題を解決するための手段】
【０００５】
上述の目的を達成するため、本発明は、電子機器のアクセサリー取り付け部に取り付けるための取り付け部を有するアクセサリー機器であって、前記アクセサリー機器の前記取り付け部は、前記アクセサリー機器の筐体から突出する軸部材と、前記軸部材に回転可能に配設された操作環とを備え、前記軸部材の軸方向に対して直交する２方向のうちの一方の方向が前記軸部材の幅方向であり、前記２方向のうちの他方の方向が前記軸部材の前後方向であり、前記軸部材の幅方向における前記軸部材の両側面の先部に、前記前後方向に間隔をおいて係止片がそれぞれ突設されると共に、それら係止片の間に残存した前記軸部材の側面部分により凹部が設けられ、前記軸部材の軸方向の先端に、該軸部材の軸方向の位置決めを行なうためのガイド面が設けられ、前記両側面の各係止片の上方の箇所に、それら係止片よりも前記側面から小さい寸法で突出し前記側面に対して離間接近する方向に弾性変形可能なばね片が設けられ、前記操作環の回転操作により前記軸部材の幅方向における両側面において前記軸部材の軸方向に移動し各係止片に離間接近する押さえ板が設けられていることを特徴とする。
また、本発明は、電子機器の電子機器側コネクタとアクセサリー機器の取り付け部との取り付け構造であって、前記電子機器側コネクタは、ガイド溝が形成された係止板と、係止板の下面に臨むように設けられた空間部と、前記空間部の底部を仕切るガイド面とを備え、前記ガイド溝を構成する前記係止板の箇所で互いに対向する一対の縁部には、前記ガイド溝の延在方向に第１凸部と、第１凹部と、第２凸部と、第２凹部とがこれらの順番でそれぞれ対向して設けられ、前記アクセサリー機器の前記取り付け部は、前記アクセサリー機器の筐体から突出する軸部材と、前記軸部材に回転可能に配設された操作環とを備え、前記軸部材の軸方向に対して直交する２方向のうちの一方の方向が前記軸部材の幅方向であり、前記２方向のうちの他方の方向が前記軸部材の前後方向であり、前記軸部材の幅方向における前記軸部材の両側面の先部に、前記軸部材の先部が前記ガイド溝を通り前記空間部に挿入される際に、前記第１凹部および前記第２凹部から前記空間部に挿入され前記空間部内で前記ガイド溝の延在方向に沿って移動可能な係止片が前記前後方向に間隔をおいて突設されると共に、それら係止片の間に残存した前記軸部材の側面部分により凹部が設けられ、前記軸部材の軸方向の先端に、前記軸部材の先部が前記ガイド溝を通り前記空間部に挿入された際に、前記空間部の底部を仕切る前記ガイド面に当接し該軸部材の軸方向の位置決めを行なうガイド面が設けられ、前記両側面の各係止片の上方の箇所に、それら係止片よりも前記側面から小さい寸法で突出し、前記軸部材の各係止片が前記第１凹部および前記第２凹部から前記空間部に挿入され前記空間部内で前記ガイド溝に沿って移動し前記各係止片が前記第１凸部と第２凸部の下面に位置する際に前記第１凸部と第２凸部が前記ガイド溝に臨む縁部に弾接するばね片が設けられ、前記操作環の回転操作により前記軸部材の幅方向における両側面において前記軸部材の軸方向に移動し、前記第１凸部と第２凸部を各係止片と協働して挟持する押さえ板が設けられていることを特徴とする。
【発明の効果】
【０００６】
本発明によれば、軸部材５０の先部は、その両側の前後に係止片５０２０を備える簡易な構成であるため、前向き、後向きの何れか一方に装着方向が限定されている電子機器側コネクタ１０に対して、正しい向きでの装着が可能となる。
【発明を実施するための最良の形態】
【０００７】
（第１の実施の形態）
次に本発明の第１の実施の形態について図面を参照して説明する。
まず、本発明のアクセサリー機器が装脱される電子機器について説明する。
図１は電子機器を前方から見た斜視図である。
図２は電子機器に設けられた電子機器側コネクタの斜視図であり、（Ａ）はカバーが閉塞位置にある状態を示し、（Ｂ）はカバーが開放位置にある状態を示す。
図３（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
図４（Ｅ）は図３（Ｄ）のＥ矢視図、（Ｆ）は（Ｅ）のＦＦ線断面図である。
【０００８】
図１に示すように、本実施の形態において電子機器１００はビデオカメラであり、外装を構成する扁平な直方体状のケース１０２を有している。なお、本明細書において左右は、電子機器１００を前方から見た状態でいうものとし、また、光学系の光軸方向で被写体側を前方といい、撮像素子側を後方という。
ケース１０２の前面上部には、撮影光学系１０４が組み込まれた鏡筒１０６が前方に臨んで設けられている。
ケース１０２の内部には、撮影光学系１０４によって導かれた被写体像を撮像する撮像素子、該撮像素子で撮像された被写体像の静止画および動画のデータを記録媒体に記録再生する記録再生部などが収容されている。
ケース１０２の後面上部には前記撮像素子によって撮像された被写体像を視認するための電子式ファインダー１０８が設けられている。
ケース１０２の右側面には前記撮像素子によって撮像された被写体像などを表示するためのディスプレイ１１０が開閉可能に設けられている。
ケース１０２の上面後部および左側面には、撮影スタートストップスイッチなどの操作スイッチ（不図示）や種々の設定を行うための設定スイッチ（不図示）が設けられている。
ケース１０２の上面前部には、平面視矩形状の凹部１１２が設けられ、該凹部１１２には、凹部１１２を開閉する蓋１１４が着脱可能に設けられている。凹部１１２の内部には電子機器側コネクタ１０が配設されており、電子機器側コネクタ１０の非使用時には、凹部１１２に蓋１１４が装着されることで電子機器側コネクタ１０が外部に対して覆われ、電子機器側コネクタ１０の使用時には、凹部１１２から蓋１１４が取り外されることで電子機器側コネクタ１０が外部に露出するように構成されている。
電子機器１００はアクセサリー機器を取り付けるためのアクセサリー取り付け部を備え、このアクセサリー取り付け部は電子機器側コネクタ１０で構成されている。
【０００９】
次に、電子機器側コネクタ１０について説明する。
この実施の形態では、電子機器側コネクタ１０に対して、接片を有するアクセサリー側コネクタが、後方から前方へのみ装着できるように構成されており、接片を有するアクセサリー側コネクタの装着方向が一方に限定されている。
図２（Ａ）、（Ｂ）に示すように、電子機器側コネクタ１０は、合成樹脂材料を用いて一体に型成形された内側部材１２と、鋼板が屈曲形成された外側部材１４とを備え、内側部材１２は外側部材１４の内側に嵌合固定されている。
電子機器側コネクタ１０は、アクセサリー機器との電気接続用の複数の接片１６と、ガイド溝１８が形成された係止板２０と、係止板２０の下方およびガイド溝１８の下方に臨むように設けられた空間部２２とを備えている。
外側部材１４は、底板部１４Ａと、底板部１４Ａの両側から起立する側板部１４Ｂと、側板部１４Ｂの上端から互いに向かい合う方向に屈曲形成された上板部１４Ｃとを備えており、係止板２０は上板部１４Ｃにより形成され、両側の係止板２０は同一面上を延在している。
ガイド溝１８を構成する係止板２０の箇所で互いに対向する一対の縁部には、ガイド溝１８の延在方向に第１凹部２００２と、第１凸部２００４と、第２凹部２００６と、第２凸部２００８とがこれらの順番でそれぞれ対向して設けられ、ガイド溝１８の延在方向の両端は開放され、各第１凸部２００４の先端と各第２凸部２００８の先端はガイド溝１８の延在方向に直線状に延在している。
なお、ガイド溝１８は、一対の係止板２０が向かい合う方向である幅と、前記幅と直交する長さを有しており、上述のガイド溝１８の延在方向がガイド溝１８の長さ方向である。
第１凸部２００４は、図３（Ａ）に示すように、突出寸法の小さい凸部部分２００４Ａと突出寸法の大きい凸部分２００４Ｂとがガイド溝１８の延在方向に並べられて構成され、第２凸部２００８は凸部分２００４Ｂと同一の突出寸法で形成されている。
空間部２２は、係止板２０の下方で両側板部１４Ｂの内側で内側部材１２の上方の空間である。
空間部２２の底部を形成する電子機器側コネクタ１０の箇所、すなわち内側部材１２の箇所で第１凹部２００２と第１凸部２００４の下方の箇所には、前記ガイド溝１８の幅方向において互いに向かい合い前記装着方向に延在する一対の下部ガイド面を画成するコネクタ側ガイド面２４が設けられている。
このコネクタ側ガイド面２４は、アクセサリー側コネクタの仕様により、電子機器側コネクタ１０に装着される際に、アクセサリー側コネクタの部分に係合してアクセサリー側コネクタの幅方向の位置決めを行なうものである。
【００１０】
電子機器側コネクタ１０の電気接続用の接片１６は、空間部２２の底部で一対のコネクタ側ガイド面２４の間の内側部材１２の箇所に複数設けられている。
より詳細に説明すると、空間部２２の底部を形成する内側部材１２の箇所で一対のコネクタ側ガイド面２４の間の箇所には、底面１２０２と、底面１２０２の端部から次第に起立する傾斜面１２０４と、傾斜面１２０４の端部から底面１２０２と平行して延在する平坦な接片取り付け面１２０６とが設けられ、これら底面１２０２、傾斜面１２０４、接片取り付け面１２０６は前記装着方向に沿って順番に並べられている。
また、第２凹部２００６と第２凸部２００８の下方の内側部材１２箇所に底面１２０２と平行な平坦なガイド面１２０７が設けられ、言い換えると、一対の係止板２０の第２凹部２００６と第２凸部２００８で挟まれたガイド溝１８の下方の空間部２２の底部を形成するガイド面１２０７が設けられ、このガイド面１２０７は、第１凹部２００２と第１凸部２００４の下方で両側板部１４Ｂに沿った内側部材１２の箇所に延在している。
図３（Ａ）、（Ｂ）に示すように、接片取り付け面１２０６は、ガイド面１２０７よりも下方において一対の係止板２０の第１凸部２００４で挟まれたガイド溝１８の下方の空間部２２の底部を形成している。
そして、電子機器側コネクタ１０の複数の接片１６は、傾斜面１２０４と接片取り付け面１２０６との境の部分から前記装着方向に間隔をおいた接片取り付け面１２０６の箇所に、互いに間隔を置いてガイド溝１８の幅方向に沿って直線状に並べられて設けられている。言い換えると、図３（Ａ）に示すように、複数の接片１６は、ガイド面１２０７寄りの接片取り付け面１２０６の箇所に設けられている。
なお、図２（Ｂ）に示すように、接片取り付け面１２０６のガイド溝１８の幅方向両側の箇所に、ガイド溝１８の長さ方向に延在する凹部１２２０が設けられている。
【００１１】
電子機器側コネクタ１０の複数の接片１６について詳細に説明すると、図４（Ｆ）に示すように、各接片１６は、細幅で細長状の金属板材が屈曲されて構成され、それらの一端１６Ａが開口を介して接片取り付け面１２０６の上方に露出して配置され、図３（Ａ）に示すように、各接片１６の一端１６Ａが接片取り付け面１２０６上に露出する部分は長手方向が前記装着方向と一致して直線状に延在している。
電子機器側コネクタ１０の複数の接片１６の一端１６Ａは、図３（Ａ）に示すように、前記装着方向における端部がガイド溝１８の幅方向において直線上に位置するように並べられ、複数の接片１６のうちグランド電位に接続されるグランド接片１６０２は、その一端１６Ａが他の信号接片１６０４に比較して長手方向の寸法が大きく形成されており、グランド接片１６０２の一端１６Ａの前記取り外し方向における端部は他の信号接片１６０４の端部よりも突出している。言い換えると、複数の接片１６のうちグラウンド用の接片１６０２は他の接片１６よりも、ガイド溝１８の長さ方向で第１凸部２００４から第１凹部２００２に向かう方向に長く延在している。なお、図３（Ａ）において符号１６０５は電源用の接片を示している。
また、図４（Ｆ）に示すように、各接片１６の一端１６Ａを除く部分は内側部材１２内部に配設され、接片１６の他端１６Ｂは、内側部材１２の前記装着方向の端部に開口された孔部１２０８内に導かれている。
図３（Ｃ）、図４（Ｅ），（Ｆ）に示すように、内側部材１２の底部および外側部材１４の底板部１４Ａには、孔部１２０８に通じるように欠部１４０２が設けられ、電子機器１００に設けられた不図示のフレキシブル基板の接続端が欠部１４０２を介して孔部１２０８に挿入され孔部１２０８内で前記接続端が各接片１６の他端１６Ｂに電気的に接続されるとともに、各他端１６Ｂの弾性により、前記接続端が各他端１６Ｂと孔部１２０８を構成する壁面との間に挟持される。
この際、外側部材１４の底板部１４Ａが電子機器１００の凹部１１２の底面に取着される場合、外側部材１４に欠部１４０２が設けられているため、フレキシブル基板１５０を欠部１４０２内で屈曲させて電子機器１００の内部に導くことができる。
このため、上方から見てフレキシブル基板１５０が外側部材１４の輪郭の内側、すなわち電子機器側コネクタ１０の輪郭の内側に位置することになり、電子機器側コネクタ１０の外方に前記フレキシブル基板を引き回すためのスペースを確保する必要がなく電子機器側コネクタ１０を取り付けるために必要なスペースを縮小する上で有利となる。
なお、図４（Ｆ）において符号１２１０は外側部材１４の底面に突設された位置決め用のボスであり、このボス１２１０を電子機器１００の凹部１１２（図１参照）の底面に設けられた孔に係合させることで電子機器側コネクタ１０の位置決めを行うようになっている。
【００１２】
本実施の形態では、図２（Ｂ）に示すように、傾斜面１２０４は、アース電位に接続される接片１６０２に対応する傾斜面１２０４Ａと、他の接片１６０４、１６０５に対応する傾斜面１２０４Ｂとで構成されており、これら傾斜面１２０４Ａと傾斜面１２０４Ｂとの間に段差が形成されている。これは、傾斜面１２０４Ｂ近傍の底面１２０２箇所に、電子機器側コネクタ１０を撮像装置１００の凹部１１２の底部に取着するためのねじを挿通する挿通孔１２０３Ａ(図３（Ａ）)と、前記ねじの頭部を収容する凹部１２０３Ｂが形成されているため、この凹部１２０３Ｂを避けて傾斜面１２０４Ｂを傾斜面１２０４Ａに比べて前記装着方向にずらして形成したためである。
【００１３】
また、空間部２２の底部を形成する内側部材１２の箇所で一対のコネクタ側ガイド面２４の間の箇所に、具体的にはガイド面１２０７の下方には電子機器側コネクタ１０の接片１６を覆うカバー２６が前記装着方向に移動可能に設けられている。
そして、カバー２６を、電子機器側コネクタ１０の接片１６を覆う閉塞位置（図２（Ａ））に付勢するスプリング２６０２（図３（Ａ）参照）が設けられ、カバー２６は、接片１６を開放する開放位置（図２（Ｂ））に移動可能に構成されている。
このカバー２６は防塵用で、アクセサリー側コネクタの仕様により、電子機器側コネクタ１０に装着される際に、アクセサリー側コネクタの部分がカバー２６の移動方向に端部に当接し、カバー２６を開放し、接片１６にアクセサリー側コネクタの接片を接続させるものである。
また、前記取り外し方向におけるガイド面１２０７の端部には、ガイド溝１８の幅方向に沿って位置決め面を画成する当接面１２１０が延在形成されている。
この当接面１２１０は、アクセサリー側コネクタの仕様により、電子機器側コネクタ１０に装着される際に、アクセサリー側コネクタの部分に係合してアクセサリー側コネクタの装着方向の位置決めを行なうものである。
【００１４】
次に、本発明に係るアクセサリー機器３０について説明する。
図５、図６は本実施の形態のアクセサリー機器３０の斜視図、図７、図８はアクセサリー機器３０の分解斜視図である。
図９（Ａ）、（Ｂ）は軸部材５０およびばね片５４の斜視図である。
図１０は図５のＡＡ線断面図、図１１は図１０のＢＢ線断面図、図１２は図１０のＣＣ線断面図である。
図１３、図１４はアクセサリー機器３０の取り付け部が電子機器側コネクタ１０に装着された状態を示す縦断面図、図１５、図１６はアクセサリー機器３０の取り付け部が電子機器側コネクタ１０に装着された状態を示す平面図である。
【００１５】
図５、図６に示すように、本実施の形態において、アクセサリー機器３０はビデオライトであり、電子機器１００に装着された状態で被写体に対して光を照射するものであるが、電子機器側コネクタ１０を介して電子機器１００から電源の供給を受けたり、あるいは、電子機器側コネクタ１０を介して電子機器１００との間で信号の授受を行なったりすることなく独立して動作するように構成され、したがって、アクセサリー機器３０の取り付け部４８には、上述の接片１６に接触する接片は設けられておらず、元来、電子機器側コネクタの装着方向に拘束されるべきものではないものである。
なお、アクセサリー機器３０については、アクセサリー機器３０が電子機器１００に取り付けられた状態で、上述のように、左右は、電子機器１００を前方から見た状態でいうものとし、光学系の光軸方向で被写体側を前方といい、撮像素子側を後方という。
アクセサリー機器３０は、外装を構成するケース３２（筐体）を有し、ケース３２は前後方向の長さと、長さよりも短い寸法の左右方向の幅と、幅よりも小さい寸法の上下方向の高さを有している。
図５、図１０に示すように、ケース３２の前端には開口が設けられ、その開口には透明板３４が嵌め込まれ、ケース３２の内部に透明板３４に臨ませて電球からなる光源３６が配置されている。
ケース３２の上壁の後部寄り箇所には、光源３６のオン、オフ操作などを行うための操作スイッチ３８が設けられている。
図６、図１０に示すように、光源３６の後部には、光源３６に電源を供給する複数の電池ＢＴを収容する電池収容室４０が設けられ、ケース３２の後端には、電池収容室４０を開閉する開閉蓋４２が形成されている。
本実施の形態では、電池ＢＴとして充電式のニッケル水素電池が用いられている。
また、図１０に示すように、ケース３２の上壁の内面と電池収容室４０との間には、電池ＢＴからの電源を光源３６に供給するとともに、電池３８の出力電圧や温度の監視を行なう制御回路が設けられた基板４４が設けられている。
図１１、図１２に示すように、本実施の形態では、ケース３２は、高さ方向に分割された上半体３２Ａと下半体３２Ｂとが結合されて構成されている。
【００１６】
図７、図８に示すように、下半体３２Ｂの下面には下方に突出する円筒壁部４６が設けられ、円筒壁部４６には、電子機器１００のアクセサリー取り付け部（電子機器側コネクタ１０）に取り付けられる取り付け部４８が組み込まれている。
取り付け部４８は、軸部材５０、操作環５２、２つのばね片５４、筒状部材５６、押さえ板５７、弾性部材５８、支持部材６０、ワッシャ６２などを含んで構成されている。
【００１７】
図７、図８、図１０乃至図１２に示すように、円筒壁部４６の下部には底壁４６０２が形成され、底壁４６０２中央には孔４６０４が形成されている。
また、底壁４６０２の上面の周方向には、孔４６０４の周方向に等間隔をおいて４つのボス部４６０６が上方に向けて突設され、各ボス部４６０６の中心には上面に開口するねじ孔４６０６Ａが形成されている。
【００１８】
図７、図８に示すように、弾性部材５８は、扁平な円柱状を呈し、中心軸に沿って中心孔５８０２が貫通形成され、また、孔５８０２の周方向に等間隔をおいて４つの貫通孔５８０４が形成されている。
弾性部材５８の下面には、中心孔５８０２を中心とした円形の凸部５８０６が膨出形成されている。
凸部５８０６の下面には、その周方向に等間隔をおいて凸部５８０６の半径方向に延在する４つの溝部５８０８が形成されている。
弾性部材５８を構成する材料としては、弾性を有するものであればよく、例えばエラストマーを採用することができる。
図１０乃至図１２に示すように、弾性部材５８は、凸部５８０６が円筒壁部４６の孔４６０４に挿入され、また、４つの貫通孔５８０４に４つのボス部４６０６がそれぞれ挿通されて円筒壁部４６の内側に挿入されている。本実施の形態では、４つの貫通孔５８０４に４つのボス部４６０６が挿通されることで、弾性部材５８は円筒壁部４６の周方向に回転不能に配設されている。
【００１９】
図７、図８に示すように、ワッシャ６２は、環板状に形成され周方向に等間隔をおいて４つのねじ挿通孔６２０２が形成されている。
図１０乃至図１２に示すように、ワッシャ６２が弾性部材５８の上面に載置された状態で、４つのねじ６２０４が各ねじ挿通孔６２０２を介してボス部４６０６のねじ孔４６０６Ａに螺合されることで、弾性部材５８は円筒壁部４６の底壁４６０２に取着されている。
【００２０】
図７、図８に示すように、連結部材６０は、円板部６００２と、円板部６００２の上面中央から上方に突設されたボス部６００４と、ボス部６００４の周方向に等間隔をおいてボス部６００４の外周から円板部６００２の半径方向に延在する４つの係合壁６００６とを備えている。
また、連結部材６０は、円板部６００２の下面中央から下方に突設された筒状壁部６００８と、筒状壁部６００８の周方向に等間隔をおいて突設された４つの係合凸部６０１０とを備えている。
また、連結部材６０には、ボス部６００４、円板部６００２、筒状壁部６００８の中心を通る中心孔６００７が貫通形成され、ボス部６００４、筒状壁部６００８は同軸上に設けられている。
図１０乃至図１２に示すように、連結部材６０は、ボス部６００４が弾性部材５８の中心孔５８０２に嵌合され、かつ、４つの係合壁６００６が４つの溝部５８０８に嵌合されることで、弾性部材５８の下面に配設されている。本実施の形態では、４つの係合壁６００６が４つの溝部５８０８に嵌合されることで、連結部材６０は弾性部材５８に対して回転不能に配設されている。なお、弾性部材５８が上述のように下半体３２Ｂの筒状壁部４６に回転不能に配設されていることから、連結部材６０は下半体３２Ｂに対して回転不能に配設されることになる。
【００２１】
図７、図８に示すように、操作環５２は環板状に形成され、中心孔５２０２が形成されている。
また、操作環５２の下面には、中心孔５２０２と同軸で下方に開放された雌ねじ５２０４が形成されている。
図１０乃至図１２に示すように、操作環５２は、中心孔５２０２に連結部材６０の筒状壁部６００８が挿通され、４つの係合凸部６０１０が中心孔５２０２の内周に当接することで回転可能に支持されている。
【００２２】
図７、図８に示すように、筒状部材５６は筒状に形成され、その上部に操作環５２の雌ねじ５２０４と螺合する雄ねじ５６０２が形成されている。
筒状部材５６の内面５６０４は、互いに平行に臨む２つの平面と、それら平面の両端を接続する湾曲面で形成され、後述する軸部材５０が挿通される大きさで形成されている。
【００２３】
図７、図８に示すように、押さえ板５７は、筒状部材５６の先部で軸部材５０の幅方向両側に位置する箇所で形成されている。本実施の形態では、筒状部材５６の下端面５６０６から帯状に突出形成され、押さえ板５７の先端は筒状部材５６の下端面５６０６に平行する平坦な押さえ面５７０２として形成されている。押さえ面５７０２は、軸部材５０の軸方向と直交する方向に延在する平坦面で形成されている。
図１１、図１２に示すように、押さえ面５７０２の延在方向の中間部には係合凸部５７０４が突出形成され、この係合凸部５７０４は押さえ板５７の延在方向に沿って延在している。
【００２４】
図７、図８に示すように、軸部材５０は、上部５００２と下部５００４からなり、上部５００２の外面は、筒状部材５６の内面５６０４と合致する形状で形成され、下部５００４の外面は矩形柱状に形成されている。
図９に示すように、上部５００２は、筒状部材５６の内面５６０４と合致する外壁５００６と、外壁５００６の内側に間隔をおき軸部材５０の軸心上を延在する柱部５００８とを有している。
柱部５００８は外壁５００６よりも軸部材５０の軸方向に突出しており、柱部５００８には、柱部５００８の軸心を中心とする環状溝５０１０が形成され、また、環状溝５０１０を柱部５００８の外側に開放する切り欠き５０１２が周方向に等間隔をおいて複数設けられている。
さらに、柱部５００８の中央には雌ねじ５０１４が形成されている。
【００２５】
図９に示すように、軸部材５０の幅方向における軸部材５０の下部５００４の両側面５０１８の先部に、前後方向に間隔をおいて２つの係止片５０２０がそれぞれ突設され、それら係止片５０２０は同一の形状である。
２つの係止片５０２０の間に残存した下部５００４の側面５０１８部分により凹部５０２４が設けられている。
また、下部５００４の軸方向の先端に、軸方向と直交する方向に延在し電子機器の電子機器側コネクタ１０に対して装着時における軸部材５０の軸方向の位置決めを行なうと共に装着時に電子機器側コネクタ１０に対して軸部材５０が前後方向にガイドされる平坦なガイド面５０２６が設けられている。
また、ガイド面５０２６の中央には雌ねじ５０１６が形成されている。なお、この雌ねじ５０１６は三脚取り付け用のものである。
【００２６】
図９に示すように、ばね片５４は、軸部材５０の両側面５０１８の各係止片５０２０の上方の箇所に、それら係止片５０２２よりも側面５０１８から小さい寸法で突出し側面５０１８に対して離間接近する方向に弾性変形可能に設けられている。
本実施の形態では、軸部材５０の両側面５０１８にそれぞれ前後に延在するばね板５４０２が取着され、ばね板５４０２の前後部にそれぞれ側面５０１８から湾曲状に突出する突出部が設けられ、ばね片５４は突出部で構成されている。
より詳細には、図９（Ｂ）に示すように、ばね板５４０２の延在方向の中央部から支片５４０４が突設されており、この支片５４０４の上端に係止片５４０６が設けられ、係止片５４０６が側面５０１８の係止溝５０２８に挿入されることでばね板５４０２が配設されている。
【００２７】
図１０乃至図１２に示すように、軸部材５０は、その上部５００２の外面が筒状部材５６の内面５６０４に挿入され、言い換えると、軸部材５０に筒状部材５６が被せられる。これにより、筒状部材５６が軸部材５０に対して回転不能となり、かつ、軸部材５０に対して軸方向に移動可能に配設される。
筒状部材５６は、その上部の雄ねじ５６０２が操作環５２の雌ねじ５２０４に螺合される。
この状態で、軸部材５０の柱部５００８が操作環５２の中心孔５２０２に挿通され、柱部５００８の環状溝５０１０に連結部材６０の筒状壁部６００８が挿通され、柱部５００８の４つ溝部５０１２に連結部材６０の４つの係合凸部６０１０がそれぞれ嵌合され、かつ、柱部５００８の上端が連結部材６０の円板部６００２の下面に当て付けられる。
これにより、軸部材５０は、連結部材６０に対して回転不能にかつ軸方向に移動不能に位置決めされ、また、操作環５２はその中心孔５２０２の内周寄り部分が円板部６００２の下面と、軸部材５０の外壁５００６の上面とで挟まれ、操作環５２は回転可能かつ軸方向に移動不能に配設される。
この状態で、ねじ５０３０がワッシャ５０３２を介して弾性部材５８の中心孔５８０２と連結部材６０の中心孔６００７を通って軸部材５０のねじ孔５０１４に螺合される。これにより、軸部材５０と操作環５２が、筒状部材５６、弾性部材５８、連結部材６０を介して下半部３２Ａの筒状壁部４６に取り付けられ、軸部材５０は、軸部材５０の周方向および軸方向に弾性部材５８が介在された状態で下半部３２Ｂに組み付けられる。
【００２８】
次に、アクセサリー機器３０の取り付け部４８の動きについて説明する。
操作環５２を回転操作すると、筒状部材５６が軸部材５０に沿って上下に移動する。
そして、操作環５２の一方への回転操作により、筒状部材５６が下方に移動し、押さえ板５７が各係止片５０２０に接近し、平行した状態で対向する。
また、操作環５２の他方への回転操作により、筒状部材５６が上方に移動し、押さえ板５７が各係止片５０２０から離間する。
【００２９】
次に、アクセサリー機器５０を電子機器１００に取り付ける場合について説明する。
電子機器１００にアクセサリー機器２００を装着する場合には、図１に示すように、蓋１１４を取り外して電子機器側コネクタ１０をケース１０２の外部に露出させる。
次に、アクセサリー機器３０のガイド面５０２６を電子機器側コネクタ１０のガイド面１２０７に臨ませ、アクセサリー機器３０の一方の係止片５０２０を電子機器側コネクタ１０の第１凹部２００２に臨ませ、かつ、アクセサリー機器３０の他方の係止片５０２０を電子機器側コネクタ１０の第２凹部２００６に臨ませ、この状態でアクセサリー機器３０の軸部材５０の先部を電子機器側コネクタ１０のガイド溝１８に挿入する。
このような軸部材５０の挿入により、アクセサリー機器３０のガイド面５０２６が電子機器側コネクタ１０のガイド面１２０７に当接し、装着時におけるアクセサリー機器３０の軸部材５０の軸方向に沿った位置決めがなされる。また、アクセサリー機器３０の一方の係止片５０２０は第１凹部２００２を通って空間部２２に位置し、他方の係止片５０２０は第２凹部２００６を通って空間部２２に位置し、アクセサリー機器３０のばね片５４が第１凹部２００２および第２凹部２００６内に位置する。
【００３０】
次いで、図１５、図１６に示すように、軸部材５０を装着方向に移動させると、ばね片５４は、軸部材５０の前記装着方向への移動に伴い第１凸部２００４および第２凸部２００８に弾接しつつ軸部材５０と一体に移動する。これにより、アクセサリー機器３０の左右幅方向におけるガタツキが防止される。
やがて、各係止片５０２０が第１凸部２００４と第２凸部２００８の下面に位置した状態で、例えば、筒状部材５６の外面が電子機器側コネクタ１０に臨む凹部１１２の壁面に当接し、前記装着方向における位置決めがなされる。
次いで、操作環５２の一方への回転操作により、筒状部材５６が下方に移動し、図１３、図１６に示すように、押さえ板５７が各係止片５０２０に接近し、第１凸部２００４が一方の係止片５０２０と押さえ板５７の押さえ面５７０２により挟持固定され、同時に、第２凸部２００８が他方の係止片５０２０と押さえ板５７の押さえ面５７０２により挟持固定され、これによりアクセサリー機器３０の装着が終了する。
本実施の形態では、図１４、図１６に示すように、係合凸部５７０４が第２凹部２００６内に位置し、係合凸部５７０４が第２凹部２００６に臨む第１凸部２００４および第２凸部２００８の縁に当接することで装着方向に沿ったアクセサリー機器３０の電子機器側コネクタ１０からの抜落が防止されている。
【００３１】
本実施の形態によれば、軸部材５０の先部は、その両側の前後に係止片５０２０を備える簡易な構成であるため、前向き、後向きの何れか一方に装着方向が限定されている電子機器側コネクタ１０に対して、正しい向きでの装着が可能となる。すなわち、電子機器側コネクタ１０への装着方向が電子機器１００の前方に向かう向きで設けられている場合および電子機器側コネクタ１０への装着方向が電子機器１００の後方に向かう向きで設けられている場合の何れの場合であっても、アクセサリー機器３０の向きを電子機器１００の向きと合致させた正しい向きで電子機器１００に装着できる利点がある。
したがって、従来技術のようにケース３０と取り付け部４８の間に回転機構を設ける必要が無くコストを削減する上で有利となる。
【００３２】
また、アクセサリー機器３０が電子機器側コネクタ１０を介して電子機器１００から電源の供給を受けたり、あるいは、電子機器側コネクタ１０を介して電子機器１００との間で信号の授受を行なったりすることなく独立して動作する場合には、アクセサリー機器３０のケース３２の内部にバッテリー収容室４０や基板４４が設けられていることから、アクセサリー機器３０の外形寸法や重量も増大する。
したがって、そのようなアクセサリー機器３０を電子機器側コネクタ１０に装着して使用する際には、電子機器側コネクタ１０や軸部材５０に過大な力が掛かりやすいことから、電子機器側コネクタ１０から軸部材５０が外れたり、あるいは、電子機器側コネクタ１０や軸部材５０の変形や破損が懸念される。
しかしながら、本実施の形態によれば、軸部材５０の押さえ板５７に設けた係合凸部５７０４が、電子機器側コネクタ１０の第２凹部２００６に臨む第１凸部２００４および第２凸部２００８の縁に当接することで、装着方向に沿ったアクセサリー機器３０の電子機器側コネクタ１０からの抜落を防止する上で有利である。
また、本実施の形態では、軸部材５０が、軸部材５０の周方向および軸方向に弾性部材５８を介してケース３２に取り付けられているので、ケース３２に物がぶつかって衝撃が加わったとしても、弾性部材５８が変形することで衝撃を緩和できるので、軸部材５０および電子機器側コネク１０に無理な力が加わらず、電子機器側コネクタ１０や軸部材５０の変形や破損を防止する上で有利である。
【００３３】
なお、実施の形態では、アクセサリー機器３０が電子機器側コネクタ１０を介して電子機器１００から電源の供給を受けたり、あるいは、電子機器側コネクタ１０を介して電子機器１００との間で信号の授受を行なったりすることなく独立して動作する場合について説明したが、アクセサリー機器と電子機器の双方が接続ケーブルを介して接続され、アクセサリー機器と電子機器が互いに接続ケーブルを介して電源の供給や信号の授受を行なうような場合、あるいは、アクセサリー機器と電子機器の双方が無線通信機能を有し、アクセサリー機器と電子機器が互いに無線信号の授受を行なうような場合であっても本発明は無論適用される。
また、実施の形態では、アクセサリー機器がビデオカメラに装着して使用されるビデオライトである場合について例示したが、本発明はこれに限定されるものではなく、例えば、フラッシュライトあるいはマイクロフォンなどであってもよい。
また、アクセサリー機器が装着される電子機器は、ビデオカメラに限定されるものではなく、種々の電子機器、例えばカメラ付パーソナルデジタルアスタント（ＰＤＡ）、カメラ付携帯電話機、あるいは種々の撮像装置、例えばデジタルスチルカメラやフィルム式カメラなどであってもよい。
【図面の簡単な説明】
【００３４】
【図１】電子機器を前方から見た斜視図である。
【図２】（Ａ）は電子機器に設けられた電子機器側コネクタのカバーが閉塞位置にある状態を示す斜視図、（Ｂ）電子機器に設けられた電子機器側コネクタのカバーが開放位置にある状態を示す斜視図である。
【図３】（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
【図４】（Ｅ）は図３（Ｄ）のＥ矢視図、（Ｆ）は（Ｅ）のＦＦ線断面図である。
【図５】本実施の形態のアクセサリー機器３０の斜視図である。
【図６】本実施の形態のアクセサリー機器３０の斜視図である。
【図７】アクセサリー機器３０の分解斜視図である。
【図８】アクセサリー機器３０の分解斜視図である。
【図９】（Ａ）、（Ｂ）は軸部材５０およびばね片５４の斜視図である。
【図１０】図５のＡＡ線断面図である。
【図１１】図１０のＢＢ線断面図である。
【図１２】図１０のＣＣ線断面図である。
【図１３】アクセサリー機器３０の取り付け部が電子機器側コネクタ１０に装着された状態を示す縦断面図である。
【図１４】アクセサリー機器３０の取り付け部が電子機器側コネクタ１０に装着された状態を示す縦断面図である。
【図１５】アクセサリー機器３０の取り付け部が電子機器側コネクタ１０に装着された状態を示す平面図である。
【図１６】アクセサリー機器３０の取り付け部が電子機器側コネクタ１０に装着された状態を示す平面図である。
【符号の説明】
【００３５】
１００……電子機器、３０……アクセサリー機器、４８……取り付け部、５０……軸部材、５２……操作環、５０２０……係止片、５０２４……凹部、５０２６……ガイド面、５４……ばね片、５７……押さえ板。
【図１】
2007212928.tif 000003
【図２】
2007212928.tif 000004
【図３】
2007212928.tif 000005
【図４】
2007212928.tif 000006
【図５】
2007212928.tif 000007
【図６】
2007212928.tif 000008
【図７】
2007212928.tif 000009
【図８】
2007212928.tif 000010
【図９】
2007212928.tif 000011
【図１０】
2007212928.tif 000012
【図１１】
2007212928.tif 000013
【図１２】
2007212928.tif 000014
【図１３】
2007212928.tif 000015
【図１４】
2007212928.tif 000016
【図１５】
2007212928.tif 000017
【図１６】
2007212928.tif 000018